【手続補正書】
【提出日】平成26年4月16日(2014.4.16)
【手続補正１】
【補正対象書類名】特許請求の範囲
【補正対象項目名】請求項１７
【補正方法】変更
【補正の内容】
【請求項１７】
製品情報検索結果に対して重複排除を実施するためのコンピュータプログラムであって、
記憶製品情報に関連付けられているアップデート情報を受信するための機能と、
前記記憶製品情報と、前記記憶製品情報に関連付けられている特徴ベクトルの集合とを取り出してアップデートするための機能と、前記アップデートすることは、少なくとも一部には前記アップデート情報に基づいて決定された新しく追加された製品情報又は変更された製品情報についての特徴ベクトルの集合を生成することを含み、
少なくとも一部には前記アップデートされた特徴ベクトルの集合に基づいて、前記アップデートされた記憶製品情報の間における相関性を決定するための機能と、
１つ以上の前記アップデートされた記憶製品情報を、少なくとも一部には前記１つ以上の前記アップデートされた記憶製品情報に関連付けられている前記決定された相関性に基づいて、１つのカテゴリに分類するための機能と、をコンピュータによって実現させ、その後の検索クエリを受けて、前記カテゴリから１つの製品情報が選択される、コンピュータプログラム。
【手続補正２】
【補正対象書類名】明細書
【補正対象項目名】００７８
【補正方法】変更
【補正の内容】
【００７８】
以上の実施形態は、理解を明瞭にすることを目的として幾らか詳細に説明されてきたが、本発明は、与えられた詳細に限定されない。本発明を実現するには、多くの代替的手法がある。開示された実施形態は、例示的なものであり、非限定的である。
適用例１：製品情報検索結果に対して重複排除を実施するためのシステムであって、１つ以上のプロセッサであって、記憶製品情報に関連付けられているアップデート情報を受信し、前記記憶製品情報と、前記記憶製品情報に関連付けられている特徴ベクトルの集合とを取り出してアップデートし、前記アップデートすることは、少なくとも一部には前記アップデート情報に基づいて決定された新しく追加された製品情報又は変更された製品情報についての特徴ベクトルの集合を生成することを含み、少なくとも一部には前記アップデートされた特徴ベクトルの集合に基づいて、前記アップデートされた記憶製品情報の間における相関性を決定し、１つ以上の前記アップデートされた記憶製品情報を、少なくとも一部には前記１つ以上の前記アップデートされた記憶製品情報に関連付けられている前記決定された相関性に基づいて、１つのカテゴリに分類するように構成されている１つ以上のプロセッサと、その後の検索クエリを受けて、前記カテゴリから１つの製品情報が選択されること、前記１つ以上のプロセッサに接続され、前記１つ以上のプロセッサに命令を提供するように構成されている１つ以上のメモリと、を備える、システム。
適用例２：適用例１に記載のシステムであって、
前記アップデート情報は、追加される新しい製品情報を識別する情報、変更される第１の既存の製品情報を識別する情報、及び削除される第２の既存の製品情報を識別する情報のうちの、１つ以上を示す、システム。
適用例３：適用例１に記載のシステムであって、前記記憶製品情報と、前記記憶製品情報に関連付けられている前記特徴ベクトルの集合とを取り出してアップデートする前に、前記アップデート情報をチェック及び承認する、システム。
適用例４：適用例１に記載のシステムであって、前記記憶製品情報を取り出してアップデートすることは、新しい製品情報を追加すること、第１の既存の製品情報を変更すること、及び第２の既存の製品情報を削除することのうちの、１つ以上を含む、システム。
適用例５：適用例１に記載のシステムであって、少なくとも一部には前記アップデート情報に基づいて決定された新しく追加された製品情報又は変更された製品情報についての特徴ベクトルの集合を生成することは、前記新しく追加された製品情報又は変更された製品情報の量が最大量を超えるか否かを決定し、前記最大量を超えた場合に、前記最大量よりも少ない前記新しく追加された製品情報又は変更された製品情報を含むまとまりについての特徴ベクトルの集合を生成すること、を含む、システム。
適用例６：適用例１に記載のシステムであって、第１のアップデートされた記憶製品情報と、第２のアップデートされた記憶製品情報との間における相関性は、前記第１のアップデートされた記憶製品情報と、前記第２のアップデートされた記憶製品情報との間における類似の程度を示す、システム。
適用例７：適用例１に記載のシステムであって、前記カテゴリに分類された前記１つ以上の前記アップデートされた記憶製品情報は、前記カテゴリに関連付けられている識別情報とともに記憶される、システム。
適用例８：適用例１に記載のシステムであって、前記カテゴリから選択された前記製品情報は、１つ以上のその他の検索結果とともに検索結果として提示される、システム。
適用例９：製品情報検索結果に対して重複排除を実施するための方法であって、記憶製品情報に関連付けられているアップデート情報を受信し、前記記憶製品情報と、前記記憶製品情報に関連付けられている特徴ベクトルの集合とを取り出してアップデートし、前記アップデートは、少なくとも一部には前記アップデート情報に基づいて決定された新しく追加された製品情報又は変更された製品情報についての特徴ベクトルの集合を生成することを含み、少なくとも一部には前記アップデートされた特徴ベクトルの集合に基づいて、前記アップデートされた記憶製品情報の間における相関性を決定し、１つ以上の前記アップデートされた記憶製品情報を、少なくとも一部には前記１つ以上の前記アップデートされた記憶製品情報に関連付けられている前記決定された相関性に基づいて、１つのカテゴリに分類し、その後の検索クエリを受けて、前記カテゴリから１つの製品情報が選択されること、を備える方法。
適用例１０：適用例９に記載の方法であって、前記アップデート情報は、追加される新しい製品情報を識別する情報、変更される第１の既存の製品情報を識別する情報、及び削除される第２の既存の製品情報を識別する情報のうちの、１つ以上を示す、方法。
適用例１１：適用例９に記載の方法であって、前記記憶製品情報と、前記記憶製品情報に関連付けられている前記特徴ベクトルの集合とを取り出してアップデートする前に、前記アップデート情報をチェック及び承認する、方法。
適用例１２：適用例９に記載の方法であって、前記記憶製品情報を取り出してアップデートすることは、新しい製品情報を追加すること、第１の既存の製品情報を変更すること、及び第２の既存の製品情報を削除することのうちの、１つ以上を含む、方法。
適用例１３：適用例９に記載の方法であって、少なくとも一部には前記アップデート情報に基づいて決定された新しく追加された製品情報又は変更された製品情報についての特徴ベクトルの集合を生成することは、前記新しく追加された製品情報又は変更された製品情報の量が最大量を超えるか否かを決定し、前記最大量を超えた場合に、前記最大量よりも少ない前記新しく追加された製品情報又は変更された製品情報を含むまとまりについての特徴ベクトルの集合を生成すること、を含む、方法。
適用例１４：適用例９に記載の方法であって、第１のアップデートされた記憶製品情報と、第２のアップデートされた記憶製品情報との間における相関性は、前記第１のアップデートされた記憶製品情報と、前記第２のアップデートされた記憶製品情報との間における類似の程度を示す、方法。
適用例１５：適用例９に記載の方法であって、前記カテゴリに分類された前記１つ以上の前記アップデートされた記憶製品情報は、前記カテゴリに関連付けられている識別情報とともに記憶される、方法。
適用例１６：適用例９に記載の方法であって、前記カテゴリから選択された前記製品情報は、１つ以上のその他の検索結果とともに検索結果として提示される、方法。
適用例１７：コンピュータ読み取り可能なストレージ媒体に実装された、製品情報検索結果に対して重複排除を実施するためのコンピュータプログラム製品であって、記憶製品情報に関連付けられているアップデート情報を受信するためのコンピュータ命令と、前記記憶製品情報と、前記記憶製品情報に関連付けられている特徴ベクトルの集合とを取り出してアップデートするためのコンピュータ命令と、前記アップデートすることは、少なくとも一部には前記アップデート情報に基づいて決定された新しく追加された製品情報又は変更された製品情報についての特徴ベクトルの集合を生成することを含み、少なくとも一部には前記アップデートされた特徴ベクトルの集合に基づいて、前記アップデートされた記憶製品情報の間における相関性を決定するためのコンピュータ命令と、１つ以上の前記アップデートされた記憶製品情報を、少なくとも一部には前記１つ以上の前記アップデートされた記憶製品情報に関連付けられている前記決定された相関性に基づいて、１つのカテゴリに分類するためのコンピュータ命令と、その後の検索クエリを受けて、前記カテゴリから１つの製品情報が選択されること、を備えるコンピュータプログラム製品。